(57)【特許請求の範囲】
【請求項１】
無線タグとデータを無線で通信する無線タグ用リーダライタにおいて、自リーダライタ以外の他リーダライタの信号を受信する手段と検出する手段を備え、前記検出する手段により前記他リーダライタの信号を検出した場合に、前記自リーダライタは無線タグとしての動作モードにはいり、前記他リーダライタの信号を検出しない場合は、前記自リーダライタは通常のリーダライタの動作モードに入るリーダライタ制御手段を持たせたことを特徴とする無線タグ用リーダライタ。
【請求項２】
前記無線タグと通信中に前記他リーダライタの信号を検出した場合に、前記自リーダライタで検出可能な前記無線タグの検出と制御を全て終了した後に、前記他リーダライタに前記自リーダライタでの処理が終了したことを伝え、前記自リーダライタが無線タグとしての動作モードに入るように制御するリーダライタ制御手段を持たせたことを特徴とする請求項１記載の無線タグ用リーダライタ。
【請求項３】
前記無線タグと通信中に前記他リーダライタの信号を検出した場合に、前記自リーダライタと前記他リーダライタのＩＤ番号又は優先度識別を比較して、前記自リーダライタの優先度が高い場合には前記自リーダライタの処理を継続し、前記他リーダライタの優先度が高い場合には前記自リーダライタは無線タグとしての動作モードに入るように制御するリーダライタ制御手段を持たせたことを特徴とする請求項１記載の無線タグ用リーダライタ。
【発明の詳細な説明】
【技術分野】
【０００１】
本発明は、無線タグとデータを無線で通信する無線タグ用リーダライタに関するものである。
【背景技術】
【０００２】
無線タグ用リーダライタは、情報を記憶出来るＩＣチップとアンテナからなる無線タグとデータを送受信できる。このリーダライタは、無線タグが複数個ある場合にも衝突防止のアルゴリズムにより検出可能なシステムになっている。但し、リーダライタが通信可能なエリアに複数個存在する場合には、それぞれのリーダライタから発出される電波の干渉の影響を受けて、無線タグからの電波を受信できなくなる。リーダライタ間の電波の干渉を検出した場合に送出電力レベルを下げて、電波の干渉を避ける電波干渉の防止方法が、特許文献１に開示されている。また、電波の干渉をさけるために通信する周波数を変更する方式が、特許文献２に開示されている。
【０００３】
特許文献１のリーダライタ間における電波干渉の防止方法によるリーダライタの実施例の説明図を図４に示す。１００は自リーダライタ、１０１はアンテナ、１０２は送信回路、１０５は制御回路、１０６は出力調整機能付き送信回路、１０７はリーダライタ間干渉検出回路を示している。自リーダライタ１００からの返信信号と他のリーダライタからの送信信号とをアンテナ１０１を介して受信回路１０３で受信した場合は、リーダライタ間干渉検出回路１０７で電波の干渉を検出し、リーダライタ間干渉検出回路１０７からの指示により出力調整機能付き送信回路１０６で出力を低減して、電波を再度送信することで電波の干渉を防止している。
【０００４】
【特許文献１】特開２００３−２１６９１１号公報
【特許文献２】特開２０００−４１８３号公報
【発明の開示】
【発明が解決しようとする課題】
【０００５】
上述した特許文献１のリーダライタは、出力を低減する調整機能を動作させることにより、自リーダライタ１００の通信距離が短くなり、今まで認識できていた無線タグも認識できなくなるという問題点があった。
【０００６】
また、上述した特許文献２の電波干渉時に周波数を変更する方式は、周波数を変更するための回路が複雑で、変更後のそれぞれの周波数が再度一致して再び電波干渉を起こすことがないようにする制御手段が追加で必要になるという問題点があった。
【０００７】
本発明は、上述した問題点を解決すべくなされたもので、その技術課題は、リーダライタが通信可能なエリアに複数個存在する場合に、リーダライタの通信エリアを狭めることなく、それぞれのリーダライタから発出される電波の干渉の影響を受けて、無線タグからの電波を受信できなくなる問題を解決した無線タグ用リーダライタを提供することである。
【課題を解決するための手段】
【０００８】
上記目的を達成するための第１の発明は、無線タグとデータを無線で通信する無線タグ用リーダライタにおいて、自リーダライタ以外の他リーダライタの信号を受信する手段と検出する手段を備え、前記検出する手段により前記他リーダライタの信号を検出した場合に、前記自リーダライタは無線タグとしての動作モードにはいり、前記他リーダライタの信号を検出しない場合は、前記自リーダライタは通常のリーダライタの動作モードに入るリーダライタ制御手段を持たせた無線タグ用リーダライタである。
【０００９】
上記目的を達成するための第２の発明は、前記無線タグと通信中に前記他リーダライタの信号を検出した場合に、前記自リーダライタで検出可能な前記無線タグの検出と制御を全て終了した後に、前記他リーダライタに前記自リーダライタでの処理が終了したことを伝え、前記自リーダライタが無線タグとしての動作モードに入るように制御するリーダライタ制御手段を持たせた無線タグ用リーダライタである。
【００１０】
上記目的を達成するための第３の発明は、前記無線タグと通信中に前記他リーダライタの信号を検出した場合に、前記自リーダライタと前記他リーダライタのＩＤ番号又は優先度識別を比較して、前記自リーダライタの優先度が高い場合には前記自リーダライタの処理を継続し、前記他リーダライタの優先度が高い場合には前記自リーダライタは無線タグとしての動作モードに入るように制御するリーダライタ制御手段を持たせた無線タグ用リーダライタである。
【発明の効果】
【００１１】
本発明によれば、自リーダライタ以外のリーダライタの信号を受信する手段と検出する手段を備えることで、検出手段により自リーダライタ以外の他リーダライタの信号を検出した場合に、自リーダライタは無線タグの動作モードにはいり、自リーダライタ以外の他リーダライタの信号を検出しない場合に、自リーダライタは通常のリーダライタの動作モードに入るリーダライタ制御手段を持たせることで、複数のリーダライタが存在した時でも、リーダライタの通信エリアを狭めることなく、それぞれの無線タグと通信できる。なお、本発明では出力を低減する調整機能が不要なので、リーダライタの通信エリアが狭まるような現象は起きない。
【００１２】
また、無線タグと通信中に他リーダライタの信号を検出した場合に、自リーダライタで検出可能な無線タグの検出、制御を全て終了した後に、他リーダライタに自リーダライタでの処理が終了したことを伝え、自リーダライタは無線タグの動作モードに入る制御手段を持たせることで、簡単な構成で、リーダライタの本来の動作を交互に行うことでリーダライタ間の電波の干渉を防止できる。
【００１３】
更に、リーダライタの信号衝突を検出した場合には、自リーダライタと他リーダライタのＩＤ番号又は優先度識別を比較して、自リーダライタの優先度が高い場合には自リーダライタの処理を継続し、他リーダライタの優先度が高い場合には自リーダライタは無線タグの動作モードに入る制御手段を持たせることで、簡単な構成で、リーダライタの本来の動作を交互に行うことでリーダライタ間の電波の干渉を防止し、重要度の設定により読み取り権利（リーダライタ権）を変更できる。
【００１４】
その結果、リーダライタが通信可能なエリアに複数個存在する場合に、リーダライタの通信エリアを狭めることなく、それぞれのリーダライタから発出される電波の干渉の影響を受けて、無線タグからの電波を受信できなくなる問題を解決した無線タグ用リーダライタの提供が可能になる。
【発明を実施するための最良の形態】
【００１５】
本発明を実施するための最良の形態に係る無線タグ用リーダライタを以下に図面を参照して詳細に説明する。
【００１６】
図１は、本発明の無線タグ用リーダライタの実施の形態１を示す図である。図２は、本発明の無線タグ用リーダライタの動作状態を説明する図である。図３は、本発明の無線タグ用リーダライタの実施の形態２での動作状態を説明する図である。
【００１７】
図１に示すように、本発明の無線タグ用リーダライタは、送信回路１０２、自リーダライタ以外のリーダライタの信号を受信する受信回路１０３と検出する他リーダライタ信号検出回路１０４を備えている。
【００１８】
図２に示すように、リーダライタＡが通信を開始しようとした場合は、最初に「他リーダライタからの信号が送られていないか」を他リーダライタ信号検出回路１０４で確認する。その結果、「リーダライタからの信号を検出できない場合」は、「そのまま通常のリーダライタの動作に入る」ようにし、他のリーダライタからの信号を検出した場合には「通常のリーダライタの動作は実行させない」ようにする。
【００１９】
このような手段を備えることで、複数のリーダライタが存在した時でも、リーダライタの通信エリアを狭めることなく、それぞれの無線タグとリーダライタの通信ができる。なお、本発明では出力を低減する調整機能が不要なので、リーダライタの通信エリアが狭まるような現象は起きない。
【００２０】
図２は、既に無線タグと通信中の他リーダライタＢの信号を検出した場合について説明している。この場合には、リーダライタＡは「既に動作中の他のリーダライタが存在する」と判断し、制御回路１０５を「タグモードで動作させる」。タグモードでの動作後に、リーダライタＡは他の無線タグと同様に、「自分のＩＤ番号をリーダライタＢ」に返送する。リーダライタＢは「新規無線タグ」を検出し、「検出した無線タグのＩＤ」を全部読み込む。「読み込んだＩＤよりリーダライタＡであること」を認識できる。この場合は、引き続き全無線タグのＩＤを読み取り、処理等が終了した段階で、リーダライタとして動作する権利すなわちリーダライタ権をリーダライタＡに移譲し、リーダライタＢはタグモードに移行する。リーダライタ権を受け取ったリーダライタＡはタグモードからリーダライタモードに変更し、通常のリーダライタの動作をする。このように交互にリーダライタ本来の動作を行うことで、通信エリアを狭めることなく、複数のリーダライタが存在してもそれぞれのリーダライタから発出される電波の干渉の影響を受けないで通信が可能になる。
【００２１】
図３は、リーダライタＢでリーダライタＡの存在を検出した場合について説明している。リーダライタＡとリーダライタＢとに予め付議されていた優先度またはＩＤ番号を見て、自リーダライタ（リーダライタＢ）が高い場合は、「自リーダライタでの処理を継続」し、他リーダライタ（リーダライタＡ）が高い場合には、「リーダライタ権をリーダライタＡに移譲し、自らはタグモードになり無線タグの動作」をする。この場合も、交互にリーダライタ本来の動作を行うことで、通信エリアを狭めることなく、複数のリーダライタが存在してもそれぞれのリーダライタから発出される電波の干渉の影響を受けないで通信が可能になる。
【００２２】
その結果、リーダライタが通信可能なエリアに複数個存在する場合に、リーダライタの通信エリアを狭めることなく、それぞれのリーダライタから発出される電波の干渉の影響を受けて、無線タグからの電波を受信できなくなる問題を解決した無線タグ用リーダライタの提供が可能になる。
【図面の簡単な説明】
【００２３】
【図１】本発明の無線タグ用リーダライタの実施の形態１を示す図。
【図２】本発明の無線タグ用リーダライタの動作状態を説明する図。
【図３】本発明の無線タグ用リーダライタの実施の形態２での動作状態を説明する図。
【図４】特許文献１のリーダライタ間における電波干渉の防止方法によるリーダライタの実施例の説明図。
【符号の説明】
【００２４】
１００    自リーダライタ
１０１   アンテナ
１０２   送信回路
１０３   受信回路
１０４   他リーダライタ信号検出回路
１０５   制御回路
１０６   出力調整機能付き送信回路
１０７   リーダライタ間干渉検出回路
【図１】
0004490882.tif 000002
【図２】
0004490882.tif 000003
【図３】
0004490882.tif 000004
【図４】
0004490882.tif 000005